(57)【特許請求の範囲】
【請求項１】
エレベータ装置の戸の戸開閉方向両端下部のそれぞれに清掃部を備え、
上記清掃部は、上記戸の開閉方向と平行な鉛直面に直交するように上記戸の開閉方向両端下部のそれぞれに配設された軸棒と、
上記軸棒のそれぞれに中間部を支持されて、該軸棒を中心として該鉛直面上を回動するように取り付けられ、一端側がその先端を敷居溝の底面に近接するように設けられたピンと、
先端が上記敷居溝の底面に接触または近接するように上記戸の開閉方向両端下部のそれぞれに配設されたブラシと、
上記各ピンの他端側を戸閉方向に付勢するように配設されたバネと、
上記バネの戸閉方向への付勢による上記各ピンの上記他端側の戸閉方向への回動を規制するように配設されたストッパーと、を有していることを特徴とするエレベータ用敷居溝清掃装置。
【発明の詳細な説明】
【技術分野】
【０００１】
この発明はエレベータの敷居溝を清掃するための清掃装置に関するものである。
【背景技術】
【０００２】
従来のエレベータ装置では、敷居溝の小石やガラス、ごみ等の異物を除去するために、取付板がドア端部下部に固定して設けられ、さらに、樹脂等で構成される複数のブラシと、ブラシに隣接して設けられてブラシよりも大きな弾性力を有する鉄等の硬質材よりなるピンとが固定された取付片が、取付板のドア閉方向端部に固定して取り付けられている。
【０００３】
また、複数のブラシとピンの先端は敷居溝の底面に対向しており、ドアが開閉すると、取付片に固定されたブラシとピンもドアの開閉に連動して移動するため、敷居溝の異物がブラシ又はピンにより押し出され、敷居溝が清掃できるようになっている。
また、ブラシだけでなく、ピンを取り付けたことにより、ブラシの弾性力だけでは、除去不能な小石等が除去される（例えば、特許文献１参照）。
【０００４】
【特許文献１】特許第２６０９４０２号公報
【発明の開示】
【発明が解決しようとする課題】
【０００５】
しかしながら、従来のエレベータ用敷居溝清掃装置では、敷居清掃用のピンは、取付片に固定して設けられているので、ドアの開動作時にピンと敷居溝との間に小石やガラス、ごみ等の異物が挟まると、閉じ込め故障が発生する。
【０００６】
本発明は、上記の課題を解決するためになされたものであり、ドアの開動作時に発生する閉じ込め故障を防止することを目的とする。
【課題を解決するための手段】
【０００７】
この発明によるエレベータ用敷居溝清掃装置は、エレベータ装置の戸の戸開閉方向両端下部のそれぞれに清掃部を備え、上記清掃部は、上記戸の開閉方向と平行な鉛直面に直交するように上記戸の開閉方向両端下部のそれぞれに配設された軸棒と、上記軸棒のそれぞれに中間部を支持されて、該軸棒を中心として該鉛直面上を回動するように取り付けられ、一端側がその先端を敷居溝の底面に近接するように設けられたピンと、先端が上記敷居溝の底面に接触または近接するように上記戸の開閉方向両端下部のそれぞれに配設されたブラシと、上記各ピンの他端側を戸閉方向に付勢するように配設されたバネと、上記バネの戸閉方向への付勢による上記各ピンの上記他端側の戸閉方向への回動を規制するように配設されたストッパーと、を有している。
【発明の効果】
【０００８】
この発明によれば、ピンの弾性力では除去不能な異物が、ピンより戸の開方向側の敷居溝に固着している場合、戸が開方向に移動するにつれて、バネの付勢力以上の力でピンを押圧するので、ピンは回動して異物はピンの下部を通過し、異物がピンと敷居溝との間に挟まることが回避される。よって、戸の開動作時に発生する閉じ込め故障は防止される。
【発明を実施するための最良の形態】
【０００９】
以下、この発明を実施するための最良の形態について、図面を参照して説明する。
図１はこの発明に係るエレベータ用敷居溝清掃装置の第１の清掃部が取り付けられたカゴ戸のカゴ戸閉方向端部下部周辺を示す斜視図、図２はこの発明に係るエレベータ用敷居溝清掃装置の第２の清掃部が取り付けられたカゴ戸のカゴ戸開方向端部下部周辺を示す斜視図、図３は図１の上部から見た平面図、図４はこの発明に係るエレベータ用敷居溝清掃装置の第１の清掃部の単体構成を示す側面図、図５は図４のＶ−Ｖ矢視断面図、図６は図３のＶＩ−ＶＩ矢視断面図、図７は図６においてカゴ戸が開方向に移動したときの動作を説明するための断面図、図８は図２の上部から見た平面図、図９はこの発明に係るエレベータ用敷居溝清掃装置の第２の清掃部の単体構成を示す側面図、図１０は図９のＸ−Ｘ矢視断面図、図１１は図８のＸＩ−ＸＩ矢視断面図、図１２は図１１においてカゴ戸がカゴ戸開方向に移動したときの動作を説明するための断面図である。
【００１０】
図１乃至図１２において、エレベータ装置の戸としてのカゴ戸１の裏面（乗場側の面）のカゴ戸閉方向端部下部およびカゴ戸開方向端部下部に矩形平板状の固定板２ａ，２ｂがあらかじめ固定されている。固定板２ａ，２ｂのそれぞれには、ボルト締め用のタップ（図示せず）が、カゴ戸開閉方向に沿って２箇所形成されている。
また、直方体に形成されたドアガイドシュー３ａ，３ｂが、その長手方向をカゴ戸開閉方向に合わせてカゴ戸１の下方に設けられた敷居溝４に入るように配置され、さらに矩形平板状に形成された突出板５ａ，５ｂは、その一端をそれぞれドアガイドシュー３ａ，３ｂの上部外壁面に取り付けられている。
【００１１】
突出板５ａ，５ｂには、固定板２ａ，２ｂのそれぞれに形成された２箇所のタップに対応するように、それぞれ２つの取付穴（図示せず）が形成されている。突出板５ａの取付穴にボルト２０ａ，２０ｂを貫通し、カゴ戸１に固定された固定板２ａのタップにボルト締めすることによって、ドアガイドシュー３ａがカゴ戸１に固定される。また、突出板５ｂの取付穴にボルト２０ｃ，２０ｄを貫通し、カゴ戸１に固定された固定板２ｂのタップにボルト締めすることによって、ドアガイドシュー３ｂがカゴ戸１に固定される。これにより、ドアガイドシュー３ａ，３ｂは、その長手方向を敷居溝４の溝方向に一致させて、敷居溝４内に配置される。
【００１２】
次に、エレベータ用敷居溝清掃装置について説明する。エレベータ用敷居溝清掃装置はカゴ戸のカゴ戸開閉方向の両端下部に配設された第１の清掃部６Ａ及び第２の清掃部６Ｂで構成される。第１の清掃部６Ａは、カゴ戸のカゴ戸閉方向端部下部に、第２の清掃部６Ｂはカゴ戸のカゴ戸開方向端部下部に配設されている。
【００１３】
第１の清掃部６Ａについて図３乃至図６を参照しつつ説明する。
第１の清掃部６Ａには、筐体７ａと、取付板８ａと、複数のブラシ９ａと、ピン１０ａが備えられている。
筐体７ａは中空の直方体に形成されている。取付板８ａは矩形平板状に形成され、その一端が筐体７ａの側面から挿入されている。また、ブラシ９ａは樹脂等で構成され、筐体７ａの底面に取り付けられている。ピン１０ａは、ブラシ９ａよりも大きな弾性力を有する鉄等の硬質材よりなり、ピン１０ａの一端側がブラシ９ａに隣接して設けられている。
更に、取付板８ａには、固定板２ａに形成された２箇所のタップに対応するように、２つの取付穴１１ａ、１１ｂが形成されている。
【００１４】
筐体７ａの内部には、矩形平板状のストッパー１３ａが、筐体７ａの内部に挿入された取付板８ａの端部上部に形成された傾斜面１２ａと対向して、筐体７ａの内壁面２２ａに固定されている。さらにピン１０ａは、くの字に折り曲げられ、その折り曲げ部分（中間部）と筐体７ａの内部に挿入されている取付板８ａの端部下部の両者を貫通する貫通穴（図示せず）がカゴ戸開閉方向と平行な鉛直面に直交する方向に形成されている。
【００１５】
そして、軸棒１４ａがピン１０ａの折り曲げ部分（中間部）と取付板８ａの端部下部の両者を貫通する貫通穴に配設されることによって、ピン１０ａは支持されて、軸棒１４ａを中心としてカゴ戸開閉方向と平行な鉛直面上を回動できるようになっている。また、ピン１０ａは、くの字に折り曲げられたピン１０ａの軸棒１４ａより下側の下部腕部２１ａ（一端側）の先端が、敷居溝４の底面に近接するように設けられ、ピン１０ａの軸棒１４ａより上側の上部腕部１５ａ（他端側）がストッパー１３ａと傾斜面１２ａとの間に位置するように設置されている。
【００１６】
さらに、バネ１６ａの一端が取付板８ａの傾斜面１２ａに取り付けられ、バネ１６ａの他端は、ピン１０ａの上部腕部１５ａをストッパー１３ａ側に押し付ける方向に付勢するように上部腕部１５ａに取り付けられている。これにより、ピン１０ａの上部腕部１５ａはバネ１６ａの付勢力によってストッパー１３ａに押し付けられて当接し、ピン１０ａに外部から押力がかからない状態では、くの字に折り曲げられたピン１０ａの下部腕部２１ａは筐体７ａから垂下されている。
さらにまた、軸棒１４ａの両端には軸棒１４ａが貫通穴から抜けないように貫通穴径より大きなふた１７が固定されている。
【００１７】
次に、第２の清掃部６Ｂについて図８乃至図１１を参照しつつ説明する。
第２の清掃部６Ｂには、筐体７ｂと、取付板８ｂと、複数のブラシ９ｂと、ピン１０ｂとが備えられている。
筐体７ｂは中空の直方体に形成されている。取付板８ｂは矩形平板状に形成され、その一端が筐体７ｂの側面から挿入されている。また、ブラシ９ｂは樹脂等で構成され、筐体７ｂの底面に取り付けられている。ピン１０ｂは、ブラシ９ｂよりも大きな弾性力を有する鉄等の硬質材よりなり、ピン１０ｂの一端側がブラシ９ｂに隣接して設けられている。
更に、取付板８ｂには、固定板２ｂに形成された２箇所のタップに対応するように、２つの取付穴１１ｃ、１１ｄが形成されている。
【００１８】
筐体７ｂの内部には、矩形平板状のストッパー１３ｂが、筐体７ｂの内部の側面から挿入された取付板８ｂと一体に形成されている。また、ストッパー１３ｂは、筐体７ｂの取付板８ｂを挿入した面と対向する面上部に傾斜を持つように形成された内壁面２２ｂと対向するように配置されている。さらにピン１０ｂは、くの字に折り曲げられ、その折り曲げ部分（中間部）と筐体７ｂの内部に挿入されている取付板８ｂの端部下部の両者を貫通する貫通穴（図示せず）がカゴ戸開閉方向と平行な鉛直面に直交する方向に形成されている。
【００１９】
そして、軸棒１４ｂがピン１０ｂの折り曲げ部分と取付板８ｂの端部下部の両者を貫通する貫通穴に配設されることによって、ピン１０ｂは支持されて、軸棒１４ｂを中心としてカゴ戸開閉方向と平行な鉛直面上を回動できるようになっている。また、ピン１０ｂは、くの字に折り曲げられたピン１０ｂの軸棒１４ｂより下側の下部腕部２１ｂ（一端側）の先端が、敷居溝４の底面に近接するように設けられている。さらに、ピン１０ｂの軸棒１４ｂより上側の上部腕部１５ｂ（他端側）がストッパー１３ｂと内壁面２２ｂとの間に位置するように設置されている。
【００２０】
さらに、バネ１６ｂの一端が筐体７ｂの内壁面２２ｂに取り付けられ、バネ１６ｂの他端は、ピン１０ｂの上部腕部１５ｂをストッパー１３ｂ側に押し付ける方向に付勢するように上部腕部１５ｂに取り付けられている。これにより、ピン１０ｂの上部腕部１５ｂはバネ１６ｂの付勢力によってストッパー１３ｂに押し付けられて当接し、ピン１０ｂに外部から押力がかからない状態では、くの字に折り曲げられたピン１０ｂの下部腕部２１ｂは筐体７ｂから垂下されている。
さらにまた、軸棒１４ｂの両端には軸棒１４ｂが貫通穴から抜けないように貫通穴径より大きなふた１７が固定されている。
【００２１】
上記のように構成された第１の清掃部６Ａは、ブラシ９ａ及びピン１０ａの先端が敷居溝４に入るように配置され、さらに、取付板８ａの取付穴１１ａ、１１ｂと突出板５ａの取付穴にボルト２０ａ、２０ｂを貫通するように固定板２ａにボルト締めすることによって、ドアガイドシュー３ａと共締めされてカゴ戸１のカゴ戸閉方向端部下部に取り付けられている。
また、上記のように構成された第２の清掃部６Ｂは、ブラシ９ｂ及びピン１０ｂの先端が敷居溝４に入るように配置され、さらに、取付板８ｂの取付穴１１ｃ、１１ｄと突出板５ｂの取付穴にボルト２０ｃ、２０ｄを貫通するように固定板２ｂにボルト締めすることによって、ドアガイドシュー３ｂと共締めされてカゴ戸１の開方向端部下部に取り付けられている。
また、敷居溝４の底面には、小石やガラス、ごみ等の異物１９を排除するための排除穴１８が設けられている。
【００２２】
次に、このように構成された第１の清掃部６Ａの動作について、図６、図７を参照しつつ説明する。
図６では、カゴ戸１が全閉状態の時に、異物１９が敷居溝４に第１の清掃部６Ａのピン１０ａよりカゴ戸開方向側とドアガイドシュー３ａとの間に固着している状態を示す。カゴ戸１が全閉状態からカゴ戸開方向に移動すると、ブラシ９ａの弾性力やピン１０ａの弾性力によって除去可能な異物１９は、ブラシ９ａやピン１０ａによって押されて、敷居溝４の底面を移動して敷居溝４の底面に設けられた排除穴１８に落ちるようになっている。ここで、ピン１０ａの弾性力とはバネ１６ａの付勢力によってピン１０ａの下部腕部２１ａに作用する力のことをいう。後述のピン１０ｂの弾性力についても同様に、バネ１６ｂの付勢力によってピン１０ｂの下部腕部２１ｂに作用する力のことをいう。
【００２３】
次に、異物１９が、ブラシ９ａの弾性力やピン１０ａの弾性力によって除去ができない場合について説明する。カゴ戸１が全閉状態からカゴ戸開方向に移動すると、図７中、実線で示すように異物１９はピン１０ａに当接する。そしてカゴ戸１がさらにカゴ戸開閉方向に移動すると、異物１９はピン１０ａのカゴ戸開方向側からピン１０ａを押す。バネ１６ａの付勢力以上の力でピン１０ａが異物１９によって押されると、カゴ戸１がカゴ戸開方向に移動するに従って、ピン１０ａは図７中、軸棒１４ａを中心として、時計回りに破線で図示した位置まで回動する。
【００２４】
そして、異物１９がピン１０ａの下部を通りぬけ、やがて異物１９は、ピン１０ａよりカゴ戸閉方向側に位置する状態となる。異物１９がピン１０ａを通り過ぎると、バネ１６ａを付勢する力に対抗してピン１０ａを押す力がなくなるので、バネ１６ａは、ピン１０ａの上部腕部１５ａをストッパー１３ａに押し付ける方向に付勢して、ピン１０ａは図７中、軸棒１４ａを中心として反時計回りに回動し、下部腕部２１ａが垂下して図６に示される元のピン１０ａの状態に戻る。
【００２５】
このように、カゴ戸１が全閉状態の時にピン１０ａよりカゴ戸１の開方向側に位置していた異物１９は、ピン１０ａと敷居溝４との間に挟まることなく、カゴ戸１の開動作によってピン１０ａよりカゴ戸閉方向に位置させることができる。
次にカゴ戸１がカゴ戸閉方向に移動すると、異物１９はピン１０ａよりカゴ戸１の閉方向側からピン１０ａを押すことになる。このような押力に対しては、バネ１６ａの付勢力に対抗する押力は生じないので、ピン１０ａの上部腕部１５ａはストッパー１３ａに当接し、ピン１０ａの回動は制限されるので、ピン１０ａは固定されたままである。よって、ピン１０ａは下部腕部２１ａを垂下した状態のまま異物１９をカゴ戸１の閉方向に押す。
【００２６】
もし、カゴ戸１がカゴ戸閉方向に移動しているときに、ピン１０ａと敷居溝４との間に異物１９が挟まっても、異物１９はピン１０ａよりカゴ戸閉方向側の敷居溝４に位置したままであり、開方向にカゴ戸１を人的に押すことでカゴ戸１は開状態になり、閉じ込め故障の発生が回避できる。
【００２７】
また、図１１では、カゴ戸１が全閉状態の時に、異物１９が敷居溝４に第２の清掃部６Ｂのピン１０ｂよりカゴ戸開方向側に固着している状態を示す。また、図１２では、図１１において、カゴ戸１がカゴ戸開方向側に移動したときの状態を示す。
カゴ戸１がカゴ戸開方向側に移動するときの第２の清掃部６Ｂの動作については、上記の第１の清掃部６Ａの動作説明において、ピン１０ａとピン１０ｂ、上部腕部１５ａと上部腕部１５ｂ、下部腕部２１ａと下部腕部２１ｂ、ストッパー１３ａと１３ｂをそれぞれ対応させることにより同様に説明することができるので省略する。つまり、異物１９は、ピン１０ｂよりカゴ戸１の閉方向側に位置させることができる。
【００２８】
以上により、カゴ戸１のカゴ戸開動作時にピン１０ａ，１０ｂと敷居溝との間に異物１９が挟まって発生する閉じ込め故障は防止できる。
【００２９】
この発明によれば、カゴ戸のカゴ戸開閉方向の両端下部に配設された筐体７ａ，７ｂのそれぞれの内部に軸棒１４ａ，１４ｂが配設されている。また、ピン１０ａ、１０ｂは、軸棒１４ａ、１４ｂを中心にカゴ戸１開閉方向と平行な鉛直面上を回動自在に設けられ、ピン１０ａ，１０ｂの下部腕部２１ａ，２１ｂの先端が敷居溝４の底面に近接するように筐体７ａ，７ｂから延出して配置されている。また、筐体７ａ，７ｂのそれぞれの内部には、バネ１６ａ，１６ｂが、ピン１０ａ，１０ｂの上部腕部１５ａ，１５ｂを戸閉方向に付勢するように配設され、さらに、ストッパー１３ａ，１３ｂがバネ１６ａ，１６ｂによって付勢されたピン１０ａ，１０ｂの上部腕部１５ａ，１５ｂの回動を制限するように設けられている。
【００３０】
敷居溝４に、ブラシ９ａの弾性力やピン１０ａ，１０ｂの弾性力では除去不能な異物１９が、ピン１０ａまたはピン１０ｂよりカゴ戸開方向側に固着している場合、異物１９は、カゴ戸１が開方向に移動するにつれてバネ１６ａ，１６ｂの付勢力以上の力でピン１０ａまたはピン１０ｂを押圧するので、ピン１０ａまたはピン１０ｂは、軸棒１４ａまたは軸棒１４ｂ回りに回動する。異物１９はピン１０ａまたはピン１０ｂと敷居溝４との間に挟まることなく、ピン１０ａまたはピン１０ｂの下部を通過し、ピン１０ａまたはピン１０ｂより閉方向に位置させることができる。よって、カゴ戸１の開動作時に発生する閉じ込め故障は防止される。
もし、カゴ戸１の閉動作時に、ピン１０ａまたは１０ｂと敷居溝４との間に異物１９が挟まっても、異物１９はピン１０ａまたは１０ｂよりカゴ戸閉方向側の敷居溝４に位置したままであり、カゴ戸１をカゴ戸開方向に人的に押すことでカゴ戸１は開状態になり、閉じ込め故障は回避される。
【００３１】
なお、上記説明では、カゴ戸１のカゴ戸開閉方向の両端下部に第１の清掃部６Ａおよび第２の清掃部６Ｂを取り付けるものとしたが、乗場戸の乗場戸開閉方向の両端下部に第１の清掃部６Ａおよび第２の清掃部６Ｂを取り付けても同様の効果が得られる。
【００３２】
また、ピン１０ａ，１０ｂの形状は、くの字状に形成されるものとしたが、直線状などでもよく、敷居溝４に固着した異物１９がカゴ戸開方向側からピン１０ａ，１０ｂを押圧したときには、ピン１０ａ，１０ｂが回動して異物１９をピン１０ａ，１０ｂよりカゴ戸閉方向側に位置させ、異物１９がカゴ戸閉方向側からピン１０ａ，１０ｂを押圧したときには、ピン１０ａ，１０ｂの上部腕部１５ａ，１５ｂのカゴ戸閉方向への回動が、ストッパー１３ａ，１３ｂによって制限される形状になっていればよい。
【００３３】
また、第１の清掃部６Ａおよび第２の清掃部６Ｂは、取付板８ａ，８ｂの取付穴１１ａ乃至１１ｄとドアガイドシュー３ａ、３ｂの突出板５ａ，５ｂの取付穴のそれぞれにボルト２０ａ乃至２０ｄを貫通してカゴ戸１に配置した固定板２ａ，２ｂに共締して取り付けるものとしているが、取り付け方法は限定されるものではなく、取付板８ａ，８ｂと突出板５ａ，５ｂを別々に、接着などを用いてカゴ戸１に取り付けても良い。
【図面の簡単な説明】
【００３４】
【図１】この発明に係るエレベータ用敷居溝清掃装置の第１の清掃部が取り付けられたカゴ戸のカゴ戸閉方向端部下部周辺を示す斜視図である。
【図２】この発明に係るエレベータ用敷居溝清掃装置の第２の清掃部が取り付けられたカゴ戸のカゴ戸開方向端部下部周辺を示す斜視図である。
【図３】図１の上部から見た平面図である。
【図４】この発明に係るエレベータ用敷居溝清掃装置の第１の清掃部の単体構成を示す側面図である。
【図５】図４のＶ−Ｖ矢視断面図である。
【図６】図３のＶＩ−ＶＩ矢視断面図である。
【図７】図６においてカゴ戸がカゴ戸開方向に移動したときの動作を説明するための断面図である。
【図８】図２の上部から見た平面図である。
【図９】この発明に係るエレベータ用敷居溝清掃装置の第２の清掃部の単体構成を示す側面図である。
【図１０】図９のＸ−Ｘ矢視断面図である。
【図１１】図８のＸＩ−ＸＩ矢視断面図である。
【図１２】図１２は図１１においてカゴ戸がカゴ戸開方向に移動したときの動作を説明するための断面図である。
【符号の説明】
【００３５】
１  カゴ戸（戸）、４  敷居溝、６Ａ  第１の清掃部（清掃部）、６Ｂ  第２の清掃部（清掃部）、７ａ，７ｂ  筐体、９ａ，９ｂ  ブラシ、１０ａ，１０ｂ  ピン、１３ａ，１３ｂ  ストッパー、１４ａ，１４ｂ  軸棒、１５ａ，１５ｂ  上部腕部（他端側）、１６ａ，１６ｂ  バネ、２１ａ，２１ｂ  下部腕部（一端側）。
【図１】
0004608397.tif 000002
【図２】
0004608397.tif 000003
【図３】
0004608397.tif 000004
【図４】
0004608397.tif 000005
【図５】
0004608397.tif 000006
【図６】
0004608397.tif 000007
【図７】
0004608397.tif 000008
【図８】
0004608397.tif 000009
【図９】
0004608397.tif 000010
【図１０】
0004608397.tif 000011
【図１１】
0004608397.tif 000012
【図１２】
0004608397.tif 000013